(57)【要約】【課題】感光性記録媒体用カートリッジにＷＯＲＭ機能を付加して、記録された重要な情報の改ざんを防止することができる感光性記録媒体用カートリッジを提供する。【解決手段】感光性を有する記録ディスク４を収容するカートリッジ２は、記録ディスク４の中心部４ａ及び記録面４ｂを外部に露呈させる開口１８，１９を有するカートリッジ本体１１と、このカートリッジ本体１１の外側に取り付けられて開口１８，１９を開閉するシャッタ１３と、開口１８，１９を開閉するシャッタ１３を開き位置で保持する開放保持機構ＯＨを備え、感光性記録媒体４に情報が記録された後の感光性記録媒体用カートリッジ２のシャッタ１３を開き位置に保持して感光性記録媒体４を感光させて、それ以降の記録ディスク４への情報の書込みや上書きを不可能とする。【選択図】図１
2007066395.tif 000002
【特許請求の範囲】
【請求項１】
ディスク状の感光性記録媒体と、
前記感光性記録媒体を回転自在に収容すると共に前記感光性記録媒体の中心と記録面とを外部に露呈させる開口を有するカートリッジ本体と、
前記カートリッジ本体の外側に取り付けられて前記開口を閉じる閉じ位置と前記開口を開放する開き位置との間で移動自在に配設されたシャッタと、
前記シャッタが開かれたとき、前記シャッタを前記開き位置に保持する開放保持機構と、を備えたことを特徴とする感光性記録媒体用カートリッジ。
【請求項２】
前記開放保持機構が、前記シャッタに設けられた係止部と、
前記カートリッジ本体に形成され、前記係止部と係合して前記シャッタを前記開き位置で保持する係合部とを備えていることを特徴とする請求項１に記載の感光性記録媒体用カートリッジ。
【請求項３】
前記開放保持機構が、前記シャッタを開く方向に付勢するシャッタバネと、
前記シャッタを前記閉じ位置で保持するロック機構とを備えていることを特徴とする請求項１に記載の感光性記録媒体用カートリッジ。
【請求項４】
前記開放保持機構は、一端が前記カートリッジ本体に係合すると共に、他端が前記シャッタに係合して前記シャッタを閉じる方向に付勢するシャッタバネと、
前記シャッタバネの前記一端または前記他端に対向して前記カートリッジ本体に形成された操作孔とを備え、
前記操作孔は、ピンを挿入した場合に前記シャッタバネの前記一端又は前記他端に該ピンが当接することにより、前記シャッタバネの前記一端と前記カートリッジ本体との係合又は前記シャッタバネの前記他端と前記シャッタとの係合が解除される位置に設けられていることを特徴とする請求項１に記載の感光性記録媒体用カートリッジ。
【請求項５】
前記感光性記録媒体は、ホログラム記録媒体であることを特徴とする請求項１から４のいずれか１つに記載の感光性記録媒体用カートリッジ。
【発明の詳細な説明】
【技術分野】
【０００１】
本発明は、感光性録媒体用カートリッジに関し、特に、カートリッジ本体に形成されて感光性録媒体を外部に露出させる開口を開閉するシャッタを備えた感光性記録媒体用カートリッジに関する。
【背景技術】
【０００２】
データをホログラムによって記録するホログラム記録媒体が発明されている（例えば、特許文献１参照）。このホログラム記録媒体は、円板形状の支持体上に感光性材料からなるホログラム記録層が層設された感光性記録媒体であり、データをレーザ光の干渉縞として多層記録することにより、現在普及している記録媒体であるDVDよりも大きなデータ記録容量を得ることができる。このホログラム記録媒体は、ホログラム記録層が曝光され、または塵芥が付着することによりその性能に悪影響が及ぶため、遮光機能及び防塵機能を有するカートリッジに収容されて取り扱われている（例えば、特許文献２参照）。
【０００３】
また、ディスク状記録媒体を収容するカートリッジとしては、ディスク状記録媒体を外部に露出させる開口が形成されたカートリッジ本体、および該開口を開閉するシャッタを備えたカートリッジが知られている（例えば、特許文献３参照）。
【０００４】
特許文献１に記載の発明は、DVD-RAMのカートリッジに類似したカートリッジにホログラム記録媒体を収容している。このカートリッジは、ホログラム記録層に影響を与える波長域の光線の透過率が小さい材質で形成されている。特許文献１には、カ一トリッジの詳しい構成は記載されていないものの、特許文献２または特許文献３に記載されているカートリッジと同様の構成を有しているものと考えられる。
【０００５】
特許文献２に記載の発明は、ホログラム記録層の感応色を遮光する材質でカートリッジを形成し、ホログラム記録媒体を外部に露呈させる可動部分の合せ目には、スポンジ状の遮光材を貼付している。また、記録媒体を回転自在な状態で収容するカートリッジ本体と、このカートリッジ本体に設けられ、記録媒体の一部を外部に露呈させる開口と、この開口を開閉するシャッタとを備えたカートリッジが記載されている。
【０００６】
特許文献３に記載の発明は、シェルに形成されたウインド（開口）がシャッタにより開閉される。シャッタに固定されたスライダの基端側には、シェル内に配置されたばねが取り付けられており、これによりシャッタがウインドを閉じるように付勢されたシャッタ開閉機構が記載されている。
【０００７】
【特許文献１】特開２００４―０２９４７６号公報
【特許文献２】特開２００３―３１７４２２号公報
【特許文献３】特開平８―２１２７４７号公報
【発明の開示】
【発明が解決しようとする課題】
【０００８】
ホログラム記録媒体を収容するカートリッジは、カートリッジ本体とシャッタとの間の遮光及び防塵が適切に行なわれないと、光や塵芥がカ一トリッジ内に進入し、ホログラム記録媒体に悪影響を与えてしまう。しかし、特許文献１には、カートリッジ本体とシャッタとの間の遮光構造、防塵構造及びシャッタ開閉機構に関する記載がない。
【０００９】
また、特許文献２に記載のカートリッジは、カートリッジ本体とシャッタとの間をスポンジ状の遮光材で遮光しているが、この遮光材が剥がれ、または劣化した場合に適切な遮光及び防塵が行なえなくなるという問題がある。また、シャッタ開閉機構については、言及されていない。
【００１０】
特許文献３に記載のカートリッジは、スライダに取り付けられたばねにより、シャッタが常にウインドを閉じる方向に付勢されている。
【００１１】
上記したように、感光性記録媒体を収容するカートリッジは、感光性記録媒体の感光を防止するため、通常、シャッタが閉じられて遮光されており、情報の書込み、読出し時に遮光された記録再生装置内でシャッタが開放される。そして、カートリッジが記録再生装置から取り出されるときには、再びシャッタが閉じられて遮光されるようになっている。
【００１２】
また、重要な情報を記録するカートリッジにおいては、書き込まれた情報の改ざんができないように上書きや追記が禁止されて情報の読出しのみを許容する、所謂、ＷＯＲＭ(Write Only Read Many)機能が要求される。しかし、上記特許文献１から特許文献３記載のカートリッジは、ＷＯＲＭ機能については全く記載されていない。
【００１３】
本発明は、上記事情に鑑みてなされたもので、その目的は、感光性記録媒体用カートリッジにＷＯＲＭ機能を付加して、記録された重要な情報の改ざんを防止することができる感光性記録媒体用カートリッジを提供することにある。
【課題を解決するための手段】
【００１４】
本発明の上記目的は、下記感光性記録媒体用カートリッジによって達成される。
（１）  ディスク状の感光性記録媒体と、前記感光性記録媒体を回転自在に収容すると共に前記感光性記録媒体の中心と記録面とを外部に露呈させる開口を有するカートリッジ本体と、前記カートリッジ本体の外側に取り付けられて前記開口を閉じる閉じ位置と前記開口を開放する開き位置との間で移動自在に配設されたシャッタと、前記シャッタが開かれたとき、前記シャッタを前記開き位置に保持する開放保持機構と、を備えたことを特徴とする感光性記録媒体用カートリッジ。
【００１５】
上記構成の感光性記録媒体用カートリッジによれば、カートリッジ本体の開口を開閉するシャッタを、開き位置で保持する開放保持機構を備えるので、感光性記録媒体に情報が記録された後の感光性記録媒体用カートリッジは、シャッタを開き位置に保持した状態で記録再生装置から取り出される。これにより感光性記録媒体を感光させて、それ以降の情報の書込みや上書きを不可能として、記録された情報の改ざんを防止することができる。従って、重要な情報を保護することができる。
【００１６】
（２）  前記開放保持機構が、前記シャッタに設けられた係止部と、前記カートリッジ本体に形成され、前記係止部と係合して前記シャッタを前記開き位置で保持する係合部とを備えていることを特徴とする上記（１）記載の感光性記録媒体用カートリッジ。
【００１７】
上記構成の感光性記録媒体用カートリッジによれば、カートリッジ本体に形成された係合部に、シャッタに設けられた係止部を係合させて、シャッタを開き位置で保持するようにしたので、記録再生装置に感光性記録媒体用カートリッジを装填してシャッタを開いたとき、係合部に係止部を係合させてシャッタを開き位置に保持することができる。これにより、簡単な機構で確実にシャッタを開き位置に保持して感光性記録媒体を感光させ、これにより書き込まれた情報の改ざんを防止することができる。
【００１８】
（３）  前記開放保持機構が、前記シャッタを開く方向に付勢するシャッタバネと、前記シャッタを前記閉じ位置で保持するロック機構とを備えていることを特徴とする上記（１）記載の感光性記録媒体用カートリッジ。
【００１９】
上記構成の感光性記録媒体用カートリッジによれば、シャッタを開く方向に付勢するシャッタバネと、シャッタを閉じ位置で保持するロック機構を備えたので、未使用の感光性記録媒体用カートリッジのシャッタは閉じ位置で保持して感光性記録媒体の感光を防止すると共に、シャッタが一度開かれた感光性記録媒体用カートリッジ、換言すれば、一度情報が書き込まれた感光性記録媒体用カートリッジのシャッタは開放した状態で保持して感光性記録媒体を感光させ、これにより書き込まれた情報の改ざんを防止することができる。
【００２０】
（４）  前記開放保持機構は、一端が前記カートリッジ本体に係合すると共に、他端が前記シャッタに係合して前記シャッタを閉じる方向に付勢するシャッタバネと、前記シャッタバネの前記一端または前記他端に対向して前記カートリッジ本体に形成された操作孔とを備え、前記操作孔は、ピンを挿入した場合に前記シャッタバネの前記一端又は前記他端に該ピンが当接することにより、前記シャッタバネの前記一端と前記カートリッジ本体との係合又は前記シャッタバネの前記他端と前記シャッタとの係合が解除される位置に設けられていることを特徴とする上記（１）に記載の感光性記録媒体用カートリッジ。
【００２１】
上記構成の感光性記録媒体用カートリッジによれば、シャッタバネの一端をカートリッジ本体に係合させると共に、他端をシャッタに係合させて、シャッタを閉じる方向に付勢する。カートリッジ本体の操作孔から挿入されるピンにより、シャッタバネとカートリッジ本体、またはシャッタバネとシャッタとの係合を解除してシャッタバネの弾性力を無力化するようにしたので、感光性記録媒体用カートリッジが記録再生装置に装填されたとき、操作孔から位置決めピンなどのピンを挿入してシャッタバネの作用を無効化することができる。これにより情報が記録された感光性記録媒体用カートリッジのシャッタを開放した状態で保持して感光性記録媒体を感光させ、書き込まれた情報の改ざんを防止することができる。
【００２２】
（５）  前記感光性記録媒体は、ホログラム記録媒体であることを特徴とする上記（１）から（４）のいずれか１つに記載の感光性記録媒体用カートリッジ。
【００２３】
上記構成の感光性記録媒体用カートリッジによれば、ホログラム記録媒体に記録された情報の改ざんを確実に防止することができる。
【発明の効果】
【００２４】
本発明の感光性記録媒体用カートリッジによれば、感光性記録媒体にＷＯＲＭ機能を付加して、記録された重要な情報の改ざんを防止することができる感光性記録媒体用カートリッジを提供することができる。
【発明を実施するための最良の形態】
【００２５】
以下、本発明の実施形態を図面に基づいて詳しく説明する。
＜第１実施形態＞
図１は本発明の実施形態であるホログラム記録媒体用カートリッジ（以下、カートリッジと省略する）の斜視図、図２は遮光板を省略して示す図１の要部拡大図、図３はカートリッジの構成を示す分解斜視図、図４は第１シェルの要部拡大図、図５は図１におけるＶ−Ｖ矢視断面図であり、（Ａ）は全体図、（Ｂ）は（Ａ）の端縁部の拡大図、図６は図２におけるＶＩ−ＶＩ矢視断面図である。
【００２６】
図１に示すように、カートリッジ２は、このカートリッジを取り扱うホログラム記録装置等に対し、矢印Ｃ方向から装填される。カートリッジ２のディスク収容部３内に回転自在に収容される記録ディスク４は、中心部に穴をあけてディスク状にしたホログラム記録ディスクであり、両面にホログラム記録層が設けられている。
【００２７】
このホログラム記録層には、例えば、緑色５３２ｎｍ〜青色４０５ｎｍの波長域のレーザ光により、データがレーザ光の干渉縞として多層記録される。なお、記録ディスク４の穴部に補強材を付加してもよい。カートリッジ２は、記録ディスク４の両面の記録面に記録を行なうために、Ａ面２ａまたはＢ面２ｂのいずれかを上にしてホログラム記録装置にセットされる。
【００２８】
カートリッジ２は、ディスク収容部３が設けられたカートリッジ本体１１と、このカートリッジ本体１１の外側を挟み込むようにして取り付けられる遮光板１２と、カートリッジ本体１１と遮光板１２との間に組み込まれるシャッタ１３とを備えている。遮光板１２の上下面には、略長方形の外部開口１４、１５が形成されている。これらの外部開口１４,１５は、シャッタ１３が閉じ位置にあるときに、第１シャッタ５５ａ,第２シャッタ５５ｂによって閉じられている。
【００２９】
シャッタ１３が矢印Ｄ方向の開き位置に向けて移動すると、外部開口１４,１５とともに、外部開口１４,１５に対面するようにカートリッジ本体１１に設けられている同形状の開口１８,１９が開放される。これにより、ディスク収容部３内に収容されている記録ディスク４の中心部４ａと、記録面４ｂとが外部に露呈される。シャッタ１３は、内蔵するシャッタバネによって閉じ位置に付勢されている。
【００３０】
図３に示すように、カートリッジ本体１１は、略板状の第１シェル２５と、この第１シェル２５に接合される第２シェル２６とから構成されている。第１シェル２５と第２シェル２６は、例えば、遮光性物質と滑剤とが添加された同一または類似の熱可塑性プラスチックを用いて、射出成形により形成されている。カートリッジ２の端縁部の拡大した断面図である図５（Ｂ）に示すように、第１シェル２５の内面には、記録ディスク４の外径よりも大きな径で形成された突条である第１の遮光壁３０と、この第１の遮光壁３０の外側に設けられた第２の遮光壁３１と、端縁全周に設けられた突条３２とが設けられている。第１の遮光壁３０の内側には、記録ディスク４の中心部４ａと記録面４ｂとを外部に露呈させる開口１８が設けられている。
【００３１】
第２シェル２６の内面には、記録ディスク４の外径よりも大きな径で形成された突条であり、第１シェル２５の第１の遮光壁３０と第２の遮光壁３１との間に挿入される第３の遮光壁３５と、端縁全周に設けられた突条３６とが設けられている。第３の遮光壁３５の内側には、記録ディスク４の中心部４ａと記録面４ｂとを外部に露呈させる開口１９が設けられている。
【００３２】
第２シェル２６の第３の遮光壁３５の内側に記録ディスク４を乗せ、第１シェル２５を第２シェル２６の上面に重ね合わせると、第３の遮光壁３５が第１の遮光壁３０と第２の遮光壁３１との間に挿入され、第３の遮光壁３５の先端が第１シェル２５の内面２５ｅに当接する。ディスク収容部３は、これらの遮光壁３０、３１、３５と、第１シェル２５及び第２シェル２６の内面とによって形成される。ディスク収容部３の側壁は、３枚の遮光壁３０，３１,３５が入り組んで形成されたラビリンス状の遮光構造となる。そのため、第１シェル２５及び第２シェル２６の合せ目から光や塵芥が入り込んでも、これらがディスク収容部３内にまで進入することはない。
【００３３】
また、第２シェル２６の第３の遮光壁３５の先端は、超音波溶着によって第１シェル２５の内面２５ｅに固着される。これにより、第１シェル２５と第２シェル２６とが強固に接合されるため、両者の合せ目に隙間が開くようなことはない。
【００３４】
図２および図４に示すように、第１シェル２５の上端面は、その一部が切り欠かれて係合部である第１凹部２５ｆと、第２凹部２５ｇとがシャッタ１３の移動距離と同じ距離だけ離間して形成されている。この第１凹部２５ｆおよび第２凹部２５ｇと、後述するシャッタ１３の係止部５５ｆとにより、開放保持機構ＯＨが構成される。
【００３５】
図１および図３に示すように、第１シェル２５及び第２シェル２６の外面には、遮光板１２の形状より僅かに大きく、且つ遮光板１２の厚み以上の深さで内側にオフセットされた遮光板取付面２５ａ,２６ａが形成されている。また、遮光板取付面２５ａ,２６ａの内側に、シャッタ部材５５の厚み以上の深さで内側にオフセットさせたシャッタ摺動面２５ｂ,２６ｂが形成されている。
【００３６】
遮光板１２の材質には、遮光性、耐食性、装飾性、加工性を得ることができ、かつ軽量で強度のあるものとして、例えばアルミニウム合金が用いられている。なお、遮光板１２はプラスチックで形成してもよいが、遮光性と、シャッタ１３の滑り性とを確保するために、遮光性物質と滑剤とが添加されたプラスチックを用いるとよい。
【００３７】
遮光板１２は、アルミニウム合金の薄板に外部開口１４,１５と、シャッタ１３の移動範囲を得るための切欠４０とを形成し、断面が略コ字形状となるように屈曲させたものである。これにより、遮光板１２には、外部開口１４,１５をそれぞれ有する第１の板部１２ａ及び第２の板部１２ｂと、切欠４０を有し第１の板部１２ａと第２の板部１２ｂとを連設させる第３の板部１２ｃとが設けられている。
【００３８】
遮光板１２は、第１の板部１２ａ及び第２の板部１２ｂでカートリッジ本体１１のＢ面２ｂ及びＡ面２ａを挟み込み、かつ第３の板部１２ｃでカートリッジ本体１１の装填方向Ｃの先端を覆うようにして、カートリッジ本体１１の遮光板取付面２５ａ,２６ａに取り付けられる。遮光板取付面２５ａ,２６ａは、遮光板１２の厚み以上の深さで内側にオフセットされているので、カートリッジ本体１１に取り付けられた遮光板１２の外面は、カートリッジ２の表面から突出することはない。
【００３９】
図３に示すように、遮光板１２の第１の板部１２ａ及び第２の板部１２ｂの外周には、略等間隔で小さな穴４９が形成されている。また、第１シェル２５及び第２シェル２６の遮光板取付面２５ａ,２６ａには、遮光板１２の穴４９に対応する位置に、遮光板１２の厚みよりも僅かに長いピン５０が一体に形成されている。
【００４０】
遮光板１２がカートリッジ本体１１の外側（遮光板取付面２５ａ,２６ａ）に取り付けられると、第１シェル２５及び第２シェル２６のピン５０が穴４９に挿入され、遮光板１２の表面から突出される。遮光板１２は、各ピン５０の先端が熱で潰されることによりカートリッジ本体１１に固着される。
【００４１】
なお、遮光板１２のカートリッジ本体１１への固着方法としては、これ以外に、接着剤や両面テープ、ねじ止め等を用いることができる。また、遮光板１２をプラスチックで形成した場合には、各種溶着を用いることもできる。
【００４２】
図３に示すように、シャッタ１３は、遮光性を有する薄板を略コ字形状となるように屈曲させたシャッタ部材５５と、このシャッタ部材５５に取り付けられる細長い板状のスライド部材５６とからなる。シャッタ部材５５は、遮光板１２と同様の理由により、例えば、アルミニウム合金で形成されている。なお、シャッタ部材５５もプラスチックで形成してよいが、やはり、遮光性と滑り性とを確保するために、遮光性物質と滑剤とが添加されたプラスチックを用いるとよい。スライド部材５６は、遮光性物質と滑剤とが添加されたプラスチックで形成されている。
【００４３】
図１から図３に示すように、シャッタ部材５５は、第１シェル２５の外面と遮光板１２の第１の板部１２ａとの間に挿入される第１シャッタ５５ａと、第２シェル２６の外面と遮光板１２の第２の板部１２ｂとの間に挿入される第２シャッタ５５ｂと、これら第１シャッタ５５ａと第２シャッタ５５ｂとを連設するとともに、スライド部材５６が取り付けられる連設部５５ｃとを備えている。
【００４４】
図２、図３および図６に示すように、連設部５５ｃからシャッタ閉じ方向に延設された板状の延設部５５ｅの先端側部は、第１シェル２５の上面に対応する位置で第１シャッタ５５ａと略平行に曲げられて係止部５５ｆが形成されている。
【００４５】
シャッタ部材５５は、第１シャッタ５５ａおよび第２シャッタ５５ｂでカートリッジ本体１１のＢ面２ｂ及びＡ面２ａを挟み込み、かつ連設部５５ｃでカートリッジ本体１１の装填方向Ｃの先端を覆うようにして、カートリッジ本体１１のシャッタ摺動面２５ｂ,２６ｂに取り付けられる。係止部５５ｆは、シャッタ１３が閉じ位置にあるとき、第１シェル２５の上端面に形成された係合部である第１凹部２５ｆに係合している。
【００４６】
第１シェル２５と第２シェル２６との外面には、遮光板取付面２５ａ,２６ａの内側に、シャッタ部材５５の厚み以上の深さで内側にオフセットさせたシャッタ摺動面２５ｂ,２６ｂが形成されている。これにより、シャッタ１３はカートリッジ本体１１と遮光板１２との間をスムースに移動することができるため、移動による切屑等の発生を抑えることができる。なお、シャッタ摺動面２５ｂ,２６ｂは、入射した光を拡散するために、粗面にしてもよい。同様に遮光板１２の内面、及びシャッタ１３の内面及び外面も粗面にしてもよい。
【００４７】
図３に示すように、スライド部材５６は、カートリッジ２の装填方向の前面５６ｇがカートリッジ本体１１の装填方向先端面から露出されるように、第１シェル２５と第２シェル２６との間にスライド自在に組み込まれる。スライド部材５６の前面５６ｇの端部には、シャッタ部材５５の連設部５５ｃの内面に取り付けられる取付面５６ａが設けられている。この取付面５６ａには、例えば２本のピン５６ｂが一体に形成されており、連設部５５ｃに設けられた二つの穴５５ｄに挿入されて熱で先端が潰されることにより、シャッタ部材５５とスライド部材５６とを固着する。なお、この固着にも接着剤や両面テープ等を用いてもよいし、シャッタ部材５５をプラスチックで形成する場合には、各種溶着を使用してもよい。また、ねじ止めを用いてもよい。
【００４８】
図５および図６に示すように、スライド部材５６の側面には、長手方向に沿って溝５６ｃが形成されている。この溝５６ｃには、第１シェル２５及び第２シェル２６の装填方向先端側の内面に設けられた突条２５ｃ,２６ｃが挿入される。この溝５６ｃと突条２５ｃ,２６ｃとにより、スライド部材５６はカートリッジ本体１１から外れることなく、スライド移動することができるようになる。
【００４９】
スライド部材５６の前面５６ｇのシャッタ閉じ方向の端部には、シャッタ１３を開く際に操作される係止部５６ｄが突出して形成されている。この係止部５６ｄは、シャッタ部材５５に対し、スライド部材５６をシャッタの閉じ方向に伸ばすように設けたことにより、遮光板１２の第３の板部１２ｃに隠れることなく外部に露出されている。遮光板１２の第３の板部１２ｃの切欠４０は、シャッタ１３が開き位置に移動した際に、係止部５６ｄとの干渉を避けるために設けられたものであり（図１参照）、シャッタ１３の移動距離が不足して開口１８,１９を開放できない場合に形成することにより移動距離の拡大が図られる。
【００５０】
遮光性の観点からは、切欠４０を設けないことが望ましい。また、切欠４０を設ける場合でも、切欠４０の端縁４０ａは、開口１８,１９の縁部１８ａ、１９ａからシャッタ閉じ方向にできるだけ離間させて形成するようにして遮光性を阻害しない配慮が必要である。
【００５１】
シャッタ１３は、その両端がスライド部材５６と第１シェル２５の内面とに係止されている捩じりコイルバネなどのシャッタバネ５９により開口１８，１９を閉じる方向に付勢されている。
【００５２】
次に、シャッタの開放動作につき図７および図８に基づいて説明する。図７はシャッタが閉じ位置にあるカートリッジのシャッタ部材と第１シェルとの関係を示す要部横断面図、図８はシャッタが開き位置にあるカートリッジのシャッタ部材と第１シェルとの関係を示す要部横断面図である。
【００５３】
図７に示すように、未使用のカートリッジ２は、シャッタ１３が閉じ位置にあり、開口１８，１９がシャッタ１３（シャッタ部材５５）により閉じられている。このとき、シャッタ部材５５の係止部５５ｆは、第１シェル２５の第１凹部２５ｆに係合してシャッタ１３を閉じ位置で保持している。
【００５４】
カートリッジ２が、図示しない記録再生装置に装填されると、記録再生装置に配設されたシャッタ開放部材（図示せず）が、スライダ部材５６の係止部５６ｄに当接し、シャッタ１３を図中左方向に押圧してシャッタ１３を開く。このとき、図８に示すように、延設部５５ｅが弾性変形することにより係止部５５ｆは図中上方に変位して第１シェル２５の第１凹部２５ｆとの係合が解除され、第１シェル２５の上端面に沿って左方向に移動する。シャッタ１３が開き位置に達すると、係止部５５ｆは、第１シェル２５の第２凹部２５ｇと係合してシャッタ１３を開き位置で保持する。
【００５５】
記録再生装置により感光性記録媒体４に情報が記録された後、カートリッジ２が記録再生装置から取り出されると、係止部５５ｆと第２凹部２５ｇとが係合しているので、シャッタ１３は開き位置のまま保持される。従って、カートリッジ２が記録再生装置から取り出されたとき、外部の光がカートリッジ２内に入り込んで感光性記録媒体４を感光させる。
【００５６】
これにより、情報が書き込まれた感光性記録媒体４のデータ部は、定着処理されたときと同様の状態となって、以後の上書きが不可能となる。また、情報が書き込まれなかった未使用データ部も感光するので、この未使用データ部への追記も不可能となる。即ち、情報の改ざんが防止される。尚、情報が記録されたデータ部は、カートリッジ２を記録再生装置から取り出す前に定着処理を施すことが、情報を安定して記録する上から望ましい。定着処理が施されたデータ部は、外部の光が当たっても変化することはなく、安定して情報を記録する。
【００５７】
＜第２実施形態＞
次に、第２実施形態のカートリッジについて図９および図１０に基づいて説明する。図９はシャッタが閉じ位置にあるカートリッジのシャッタ部材と第１シェルとの関係を示す要部横断面図、図１０はシャッタが開き位置にあるカートリッジのシャッタ部材と第１シェルとの関係を示す要部横断面図である。尚、第２実施形態のカートリッジは、シャッタバネおよび第１シェルの凹部が図１から図８で既に説明した第１実施形態のカートリッジと異なるだけであるので、同一部分には同一符号または相当符号を付して説明を省略または簡略化する。
【００５８】
第２実施形態のカートリッジ２の第１シェル２５の上端面には、シャッタ１３を閉じ位置で保持するロック機構である凹部２５ｊと、シャッタ１３の移動を制限しない逃げ溝２５ｈとが形成されている。また、シャッタ１３には、シャッタバネ１５９の一端が係合してシャッタ１３（シャッタ部材５５）を開く方向に付勢している。
【００５９】
未使用のカートリッジ２は、シャッタ部材５５の係止部５５ｆが凹部２５ｊに係合しており、シャッタバネ１５９の力に抗してシャッタ１３を閉じ位置で保持している。カートリッジ２が図示しない記録再生装置に装填されると、記録再生装置に配設されたシャッタ開放部材（図示せず）が、スライダ部材５６の係止部５６ｄに当接し、シャッタ１３を図中左方向に押圧してシャッタ１３を開く。このとき、図１０に示すように、延設部５５ｅが弾性変形することにより係止部５５ｆが図中上方に変位して、第１シェル２５の凹部２５ｊとの係合が解除され、凹部２５ｊの図中左側の第１シェル２５の上端面を乗り越えて逃げ溝２５ｈに達する。これにより、シャッタ１３の移動の制約がなくなり、シャッタ１３はシャッタバネ１５９の弾性力によって図中左方向に移動して開口１８，１９が開放される。
【００６０】
記録再生装置により感光性記録媒体４に情報が記録された後、カートリッジ２が記録再生装置から取り出される。このとき、シャッタ１３は、シャッタバネ１５９の弾性力により開き位置に保持されている。従って、カートリッジ２が記録再生装置から取り出されたとき、外部の光がカートリッジ２内に入り込んで感光性記録媒体４を感光させる。これにより、情報が書き込まれた感光性記録媒体４のデータ部は、定着処理されたときと同様の状態となって、以後の上書きが不可能となる。また、情報が書き込まれなかった未使用データ部も感光しているので、この未使用データ部への追記も不可能となって情報の改ざんが防止される。
【００６１】
＜第３実施形態＞
次に、第３実施形態のカートリッジについて図１１および第１実施形態のカートリッジを示す図７を流用して説明する。図１１は図７におけるＸＩ矢視縦断面図である。尚、第３実施形態のカートリッジは、カートリッジ本体に操作孔が形成されている以外は図１から図８で既に説明した第１実施形態のカートリッジと同様であるので、同一部分には同一符号または相当符号を付して説明を省略または簡略化する。
【００６２】
図７に示すように、シャッタ１３を閉じ方向に付勢するシャッタバネ５９は、その一端５９ａが第１シェル２５のピン２５ｍに係合し、他端５９ｂがスライド部材５６に係合してシャッタ１３を閉じる方向に付勢している。また、第１シェル２５には、シャッタバネ５９の一端５９ａに対応して操作孔２５ｎが貫通して形成されている。操作孔２５ｎは、当然のことであるが、遮光壁３１の外側に配置されているので、操作孔２５ｎからの外光がディスク収容部３内に進入して感光性記録媒体４を感光させることはない。
【００６３】
図１１に示すように、このようなカートリッジ２が記録再生装置に装填されると、記録再生装置に設けられた位置決めピンなどのピン６０が操作孔２５ｎから進入し、図中破線で示すようにシャッタバネ５９の一端５９ａを押圧して第１シェル２５のピン２５ｍとの係合を解除する。これにより、シャッタ１３を閉じる方向に付勢しているシャッタバネ５９の弾性力は無力化される。
【００６４】
記録再生装置により感光性記録媒体４に情報が記録された後、カートリッジ２が記録再生装置から取り出されると、シャッタバネ５９の弾性力が作用していないシャッタ１３は、開き位置のまま保持される。従って、カートリッジ２が記録再生装置から取り出されたとき、外部の光がカートリッジ２内に入り込んで感光性記録媒体４を感光させる。これにより、情報が書き込まれた感光性記録媒体４のデータ部は、定着処理されたときと同様の状態となって、以後の上書きが不可能となる。また、情報が書き込まれなかった未使用データ部も感光しているので、この未使用データ部への追記も不可能となって情報の改ざんが防止される。
【００６５】
尚、本実施形態においては、係止部５５ｆ，第１凹部２５ｆ，および第２凹部２５ｇは設けても、設けなくてもよいが、係止部５５ｆおよび第２凹部２５ｇを備えれば、シャッタ１３を開き位置で保持することができ、より安定して作動させることができる。
【００６６】
上記説明においては、第１シェルと第２シェルとの固着に超音波溶着を用いたが、その他の溶着方法及び固着方法を用いてもよい。例えば、ネジなどで固着する場合には、ネジ穴の周囲にも遮光構造を形成するのが好ましい。また、第２シェル及び第１シェルを１部品で構成したが、複数の部品を組みあわせて形成してもよい。例えば、シャッタ収納部を境にして２部品で構成すれば、金型の簡易化を図ることができる。
【００６７】
更に、両面に記録が可能な記録ディスクを収容するカートリッジを例に脱明したが、一方の面に記録される記録ディスクに対応させてもよい。この場合には、開口を一方の面にのみ形成し、シャッタでこの開口を開閉する。また、ホログラム記録媒体を収容するカートリッジを例に説明したが、その他の感光性を有する記録媒体を収容するカ一トリッジにも本発明を適用することができる。また、シャッタの開放操作を禁止する操作ロック機構を持たないカートリッジを例に脱明したが、操作ロック機構を配備したカートリッジとすることもでき、この場合には不用意なシャッタの開放による感光性記録媒体の感光が防止できるので好ましい。
【図面の簡単な説明】
【００６８】
【図１】図１から図８は本発明の第１実施形態に係り、図１はカートリッジの外観形状を示す斜視図である。
【図２】遮光板を省略して示す図１の要部拡大図である。
【図３】カートリッジの構成を示す分解斜視図である。
【図４】第１シェルの要部拡大斜視図である。
【図５】図１におけるＶ−Ｖ矢視断面図であり、（Ａ）は全体図、（Ｂ）は（Ａ）の端縁部の拡大図である。
【図６】図２におけるＶＩ−ＶＩ矢視断面図である。
【図７】シャッタが閉じ位置にあるカートリッジのシャッタ部材と第１シェルとの関係を示す断面図である。
【図８】シャッタが開き位置にあるカートリッジのシャッタ部材と第１シェルとの関係を示す断面図である。
【図９】図９および図１０は第２実施形態に係り、図９はシャッタが閉じ位置にあるカートリッジのシャッタ部材と第１シェルとの関係を示す断面図である。
【図１０】シャッタが開き位置にあるカートリッジのシャッタ部材と第１シェルとの関係を示す断面図である。
【図１１】第３実施形態に係り、シャッタバネの係合状態を示す図７におけるＸＩ矢視断面図である。
【符号の説明】
【００６９】
２         カートリッジ（感光性記録媒体用カートリッジ）
４         記録ディスク（感光性記録媒体、ホログラム記録媒体）
４ａ       感光性記録媒体の中心
４ｂ       感光性記録媒体の記録面
１１       カートリッジ本体
１３       シャッタ
１８       開口
１９       開口
２５       第１シェル
２５ｆ     第１凹部(係合部)
２５ｇ     第２凹部(係合部)
２５ｊ     凹部（ロック機構）
２５ｎ     操作孔
５５       シャッタ部材
５５ｆ     係止部
５９       シャッタバネ
５９ａ     一端
５９ｂ     他端
６０       ピン
１５９     シャッタバネ
ＯＨ       開放保持機構
【図１】
2007066395.tif 000003
【図２】
2007066395.tif 000004
【図３】
2007066395.tif 000005
【図４】
2007066395.tif 000006
【図５】
2007066395.tif 000007
【図６】
2007066395.tif 000008
【図７】
2007066395.tif 000009
【図８】
2007066395.tif 000010
【図９】
2007066395.tif 000011
【図１０】
2007066395.tif 000012
【図１１】
2007066395.tif 000013